【手続補正書】
【提出日】平成19年3月9日(2007.3.9)
【手続補正１】
【補正対象書類名】明細書
【補正対象項目名】特許請求の範囲
【補正方法】変更
【補正の内容】
【特許請求の範囲】
【請求項１】
鏡筒本体内に、結像光学系とこの結像光学系の後方に配置された撮像手段とを備えた光学鏡筒において、
少なくとも赤外カットフィルタ及び平行平面ガラスを光軸直交面内に並べて保持し、前記鏡筒本体内で光軸直交面内にて移動して前記赤外カットフィルタ及び前記平行平面ガラスを選択的に前記結像光学系と前記撮像手段との間の光路に対して出入れさせる駆動手段を設けたことを特徴とする光学鏡筒。
【請求項２】
前記鏡筒本体が、前記結像光学系を収容する前部本体とこの前部本体の後部に取り付けられて前記撮像手段を保持する後部本体とから構成されており、前記駆動手段は、前記前部本体と前記後部本体との間で移動可能に配置されていることを特徴とする請求項１に記載の光学鏡筒。
【請求項３】
前記結像光学系の変倍駆動および合焦駆動を行うために光軸方向に延びる２本のスクリュー軸が光軸を挟んだ光軸直交方向両側に分かれて配置されており、前記駆動手段は前記２本のスクリュー軸の配置方向に動作することを特徴とする請求項１又は２に記載の光学鏡筒。
【請求項４】
前記鏡筒本体の外部から前記駆動手段を動作させる動作手段を有することを特徴とする請求項１から３のいずれか１つに記載の光学鏡筒。
【請求項５】
前記駆動手段の動作状態を検出する検出手段を有することを特徴とする請求項１から４のいずれか１つに記載の光学鏡筒。
【請求項６】
前記検出手段による前記駆動手段の検出動作状態に応じて前記結像光学系の合焦補正を行うことを特徴とする請求項５に記載の光学鏡筒。
【請求項７】
前記鏡筒本体に、外部からの空気吹き付けによる前記赤外カットフィルタ及び前記平行平面ガラスの清掃を可能とする空気口を形成したことを特徴とする請求項１から６のいずれか１つに記載の光学鏡筒。
【請求項８】
前記空気口は、前記赤外カットフィルタ及び前記平行平面ガラスの清掃以外の時は、前記空気口を覆う部材で塞がれることを特徴とする請求項７に記載の光学鏡筒。
【請求項９】
請求項１から８のいずれか１つに記載の光学鏡筒を備えたことを特徴とする光学装置。
【手続補正２】
【補正対象書類名】明細書
【補正対象項目名】０００１
【補正方法】変更
【補正の内容】
【０００１】
本発明は、ビデオカメラやスチルカメラ等に用いられる光学鏡筒であって、光路に対する赤外カットフィルタ及び平行平面ガラスの出入れが可能な光学鏡筒に関するものである。
【手続補正３】
【補正対象書類名】明細書
【補正対象項目名】０００５
【補正方法】変更
【補正の内容】
【０００５】
【発明が解決しようとする課題】
しかしながら、従来の赤外カットフィルタの出し入れが可能な鏡筒構成は、赤外カットフィルタを結像光学系の内部に挿入可能な専用のレンズユニットでは実現されているが、一般のレンズ鏡筒では実現できなかった。
【手続補正４】
【補正対象書類名】明細書
【補正対象項目名】０００６
【補正方法】変更
【補正の内容】
【０００６】
【課題を解決するための手段】
上記の目的を達成するために、本発明では、鏡筒本体内に、結像光学系とこの結像光学系の後方に配置された撮像手段とを備えた光学鏡筒において、少なくとも赤外カットフィルタ及び平行平面ガラスを光軸直交面内に並べて保持し、鏡筒本体内で光軸直交面内にて移動して赤外カットフィルタ及び平行平面ガラスを選択的に結像光学系と撮像手段との間の光路に対して出入れさせる駆動手段を設けている。
【手続補正５】
【補正対象書類名】明細書
【補正対象項目名】０００７
【補正方法】変更
【補正の内容】
【０００７】
これにより、従来使用されている一般の光学鏡筒に対して、鏡筒内部での駆動手段の動作のみによる赤外カットフィルタ及び平行平面ガラスの光路に対する出入れ機能、若しくは赤外カットフィルタ及び平行平面ガラスの切り換え機能を付加することが可能となる。
【手続補正６】
【補正対象書類名】明細書
【補正対象項目名】０００８
【補正方法】変更
【補正の内容】
【０００８】
さらに、結像光学系の変倍駆動および合焦駆動を行うために光軸方向に延びる２本のスクリュー軸が光軸を挟んだ光軸直交方向両側に分かれて配置されている場合に、駆動手段を上記２本のスクリュー軸の配置方向に動作させるようにして、赤外カットフィルタ及び平行平面ガラスの出入れ若しくは切り換え機能を備えつつ、鏡筒全体のコンパクト化を達成することが可能となる。
【手続補正７】
【補正対象書類名】明細書
【補正対象項目名】０００９
【補正方法】変更
【補正の内容】
【０００９】
また、鏡筒本体に、外部からの空気吹き付けによる赤外カットフィルタ及び平行平面ガラスの清掃を可能とする空気口（清掃以外の時は、空気口を覆う部材で塞がれる）を形成し、赤外カットフィルタ及び平行平面ガラスの清掃を簡単に行えるようにしてもよい。
【手続補正８】
【補正対象書類名】明細書
【補正対象項目名】００１５
【補正方法】変更
【補正の内容】
【００１５】
７はフォーカス調節を行う第４群レンズＬ４を保持するフォーカス移動鏡筒である。アフォーカル鏡筒ユニット４と後部鏡筒２の間には、光軸方向に延びる２本のガイドバー（一方は６ａ、他方は図示せず）が保持されている。これらガイドバーは光軸を挟んで光軸直交方向両側に分かれて配置されており、フォーカス移動鏡筒７のスリーブ部（図示せず）がガイドバー６ａに光軸方向に移動可能に嵌合し、フォーカス移動鏡筒７のＵ溝部（図示せず）は他方のガイドバーに係合している。これにより、フォーカス移動鏡筒７は光軸方向にガイドされるとともに、ガイドバー６ａ回りでの回転が阻止される。
【手続補正９】
【補正対象書類名】明細書
【補正対象項目名】００２１
【補正方法】変更
【補正の内容】
【００２１】
また、バリエータ移動鏡筒５にも、同様のラック（図示せず）が取り付けられており、このラックがズームモータユニットのスクリュー軸１５ｃに噛み合うことで、バリエータ移動鏡筒５の光軸方向駆動ができるようになっている。
【手続補正１０】
【補正対象書類名】明細書
【補正対象項目名】００２２
【補正方法】変更
【補正の内容】
【００２２】
１１はフィルター保持枠（駆動手段）である。以下、ＣＣＤ保持鏡筒３を枠を外して鏡筒を後方から見た図である図２および図３を用いて、このフィルター保持枠１１およびその動作機構について説明する。
【手続補正１１】
【補正対象書類名】明細書
【補正対象項目名】００２６
【補正方法】変更
【補正の内容】
【００２６】
２１は光軸直交面内にて回動が可能な連動レバー（動作手段）であり、この連動レバー２１の回動中心は段ビス等で後部鏡筒２に固定されている。この連動レバー２１は、回動中心から鏡筒内方に向かって延び、先端に駆動ピン２１ａが形成された駆動部と、回動中心から鏡筒外方に延び、選択に操作ピン２１ｂが形成された操作部とを有する。
【手続補正１２】
【補正対象書類名】明細書
【補正対象項目名】００２７
【補正方法】変更
【補正の内容】
【００２７】
そして、駆動ピン２１ａは、フィルター保持枠１１に形成された長溝部１１ｄに嵌合している。このため、操作ピン２１ｂに使用者の手動操作力もしくはアクチュエータ等の駆動力が作用して連動レバー２１が回動すると、フィルター保持枠１１がこれに連動して回動駆動される。
【手続補正１３】
【補正対象書類名】明細書
【補正対象項目名】００３１
【補正方法】変更
【補正の内容】
【００３１】
このように本実施形態では、赤外カットフィルタ１０ａおよびダミーガラス１０ｂを保持するフィルター保持枠１１を鏡筒内部で回動可能としたことにより、鏡筒内部のみで撮影光軸に対する赤外カットフィルタ１０ａとダミーガラス１０ｂの出入れ（切り換え）が可能なフィルタ切換機能を実現している。
【手続補正１４】
【補正対象書類名】明細書
【補正対象項目名】００３３
【補正方法】変更
【補正の内容】
【００３３】
フォーカス移動鏡筒７およびバリエータ移動鏡筒にラックを取り付け、さらにこのラックをスクリュー軸９ｃ，１５ｃに噛み合わせる場合、レンズ鏡筒としてはスクリュー軸９ｃ，１５ｃの配置方向にある程度のスペース的余裕が必要となるが、本実施形態では、このスペース的余裕を利用してフィルター保持枠１１の回動スペースを確保している。このため、鏡筒内スペースの有効利用を図ることができ、鏡筒内にフィルタ出入れ（切り換え）機構を収容しつつ、鏡筒全体としてのコンパクト化を図ることができる。
【手続補正１５】
【補正対象書類名】明細書
【補正対象項目名】００３８
【補正方法】変更
【補正の内容】
【００３８】
本実施形態では、撮影光路に対して赤外カットフィルタおよびダミーガラスを出入れ可能とした場合について説明したが、これら以外の光学フィルタその他の光学素子を出入れ可能としてもよい。また、フィルター保持枠と一体になった１つの光学フィルタを出入れ可能としてもよい。また、撮影光路に対して出入れさせる光学素子は、赤外カットフィルタおよびダミーガラスのような平行平板構成のもの以外に、光学的に正もしくは負のパワーを持つものでもよい。
【手続補正１６】
【補正対象書類名】明細書
【補正対象項目名】００４０
【補正方法】変更
【補正の内容】
【００４０】
【発明の効果】
以上説明したように、本発明によれば、従来使用されている一般の光学鏡筒に対して、鏡筒内部での駆動手段の動作のみによる赤外カットフィルタ及び平行平面ガラスの光路に対する出入れ（ないし切り換え）機能を付加することができる。
【手続補正１７】
【補正対象書類名】明細書
【補正対象項目名】００４１
【補正方法】変更
【補正の内容】
【００４１】
また、結像光学系の変倍駆動および合焦駆動を行うために光軸方向に延びる２本のスクリュー軸が光軸を挟んだ光軸直交方向両側に分かれて配置されている場合に、駆動手段を上記２本のスクリュー軸の配置方向に動作させるようにすれば、赤外カットフィルタ及び平行平面ガラスの出入れ（ないし切り換え）機能を備えつつ、鏡筒全体のコンパクト化を達成することができる。
【手続補正１８】
【補正対象書類名】明細書
【補正対象項目名】００４２
【補正方法】変更
【補正の内容】
【００４２】
また、鏡筒本体に、外部からの空気吹き付けによる赤外カットフィルタ及び平行平面ガラスの清掃を可能とする空気口（清掃以外の時は、空気口を覆う部材で塞がれる）を形成すれば、鏡筒内部に収容されている赤外カットフィルタ及び平行平面ガラスの清掃を簡単に行うことができる。
【手続補正１９】
【補正対象書類名】図面
【補正対象項目名】図１
【補正方法】変更
【補正の内容】
【図１】
2001255444.tif 000001